(57)【要約】【課題】効率的な防水対策が施された防犯用照明装置を提供する。【解決手段】防犯用照明装置１０の透明蓋部１４は、Ｘ方向に長手方向を有する矩形形状の主面部２８と、主面部２８の−Ｙ側の側辺と連続する第１側面部３０と、主面部２８の＋Ｙ側の側辺と連続する第２側面部３２と、主面部２８の＋Ｘ側の側辺と連続する第３側面部３４と、主面部の−Ｘ側の側面と連続する第４側面部３６とを有している。また、透明蓋部１４には、水の流動方向を規制する突出部５４が形成されている。【選択図】図３
2016162608.tif 000002
【特許請求の範囲】
【請求項１】
本体部と、
透明材料から成り、前記本体部の開口を塞ぐ透明蓋部と、
前記本体部の一方側に内蔵される発光モジュールと、
前記本体部の他方側に内蔵される撮像部と、を備え、
前記本体部と対面する前記透明蓋部の主面部は、前記発光モジュールを被覆する第１主面部分と、前記撮像部を被覆する第２主面部分と、を有し、
前記第１主面部分と前記第２主面部分との間の前記主面部に、前記主面部の一部を内側に向かって突出させた突出部を設けることを特徴とする防犯用照明装置。
【請求項２】
前記透明蓋部の前記主面部は、一方向で対向して長手方向に伸びる第１側辺および第２側辺と、を有し、
前記突出部は、前記第１側辺の近傍から、前記第２側辺の近傍まで延在することを特徴とする請求項１に記載の防犯用照明装置。
【請求項３】
前記突出部は、その中央部が両端部側よりも前記発光モジュール側に配置されることを特徴とする請求項１または請求項２に記載の防犯用照明装置。
【請求項４】
前記透明蓋部の前記主面部は、一方向で対向して長手方向に伸びる第１側辺および第２側辺と、他方向で対向して短手方向に伸びる第３側辺および第４側辺と、を有し、
前記突出部は、
前記第１側辺の近傍から、前記第２側辺の近傍まで延在する第１突出部と、
前記第１突出部の前記１側辺側の端部と連続し、前記第１側辺に沿って伸びる第２突出部と、
前記第１突出部の前記２側辺側の端部と連続し、前記第２側辺に沿って伸びる第３突出部と、を有することを特徴とする請求項１に記載の防犯用照明装置。
【請求項５】
前記第２突出部および前記第３突出部は、前記主面部の側辺から内側に離間することを特徴とする請求項４に記載の防犯用照明装置。
【請求項６】
前記透明蓋部は、表面に凹凸が形成された粗化領域と、前記粗化領域よりも光の透過率が高い透明領域とを有し、
前記突出部は、前記撮像部と対面する前記透明領域を囲む位置に配置されることを特徴とする請求項１に記載の防犯用照明装置。
【請求項７】
前記透明蓋部は、前記主面部の長手方向の側辺と連続して対向する第１側面および第２側面と、前記主面部の短手方向の側辺と連続して前記撮像部に接近する第３側面と、前記主面部の他の短手方向の側辺と連続して前記発光モジュールに接近する第４側面と、を有し、
前記主面部と前記第３側面とが連続する部分の前記透明蓋部を開口して開口部を設けることを特徴とする請求項１から請求項６の何れかに記載の防犯用照明装置。
【発明の詳細な説明】
【技術分野】
【０００１】
本発明は防犯用照明装置に関し、特に、周囲を照らす光源と、周囲を撮影するカメラとを備える防犯用照明装置に関する。
【背景技術】
【０００２】
近年、野外に設置される照明装置に監視用カメラを内蔵させ、この監視用カメラを用いて道路や公共の場をモニタリングすることが行われている。このようにすることで、太陽光が照射されない夜間であっても、照明装置により照らされる範囲の状況を、監視用カメラにより撮影することが可能となる。
【０００３】
特許文献１では、外形寸法を小さくしたカメラ併設型屋外用照明器具が記載されている。具体的には、図９を参照すると、このカメラ併設型屋外用照明器具では、下面に開口部２００を有し、内部に光源を装着するソケット２０２を設け、器具本体２０４と、同器具本体の閉口部にカメラ２０６を配置して構成している。また、カメラ２０６と器具本体の下面の開口部との間に、器具本体の下面開口部から照射される光がカメラに入らない形状の遮光板２０８を設けている。更に、器具本体の下面の開口部に、平面状の前面ガラス２１０を、道路の横断方向へ傾斜して配置してある。
【０００４】
特許文献２では、照明装置およびカメラ装置をユニット構造としたカメラ内蔵型照明器具が記載されている。具体的には、図１０を参照して、カメラ内蔵型照明器具３００は、光学系３０２を含む照明装置を収納した照明ユニット部３０４と、カメラ装置を収納したカメラユニット部３０６と、を有している。カメラユニット部３０６は、組み替えることにより、配置位置の変更が可能となる。よって、設置時の作業性が向上し、輸送費のコスト低減に大きく寄与する。
【先行技術文献】
【特許文献】
【０００５】
【特許文献１】特開２００４−３７３８８号公報
【特許文献２】特開２００１−３５２４６号公報
【発明の概要】
【発明が解決しようとする課題】
【０００６】
しかしながら、上記した特許文献１に記載されたカメラ併設型屋外用照明器具では、カメラ２０６を収納するカメラ収納室が下方に大きく突起している。従って、使用状況下にて水分が装置内に侵入すると、この水分がカメラ収納室に流入してしまい、カメラ収納室に内蔵されたカメラ２０６が故障してしまう恐れがあった。
【０００７】
また、特許文献２に記載された発明では、照明ユニット部３０４と、カメラ装置を収納したカメラユニット部３０６とが、別部材として組み合わされている。よって、個々のユニットで防水対策を施したら、ユニット内部に進入した水分によりカメラが故障することは防止されるが、照明器具全体の構造が複雑化してしまう課題が有った。
【０００８】
本発明は、このような問題点を鑑みてなされたものであり、本発明の目的は、効率的な防水対策が施された防犯用照明装置を提供することにある。
【課題を解決するための手段】
【０００９】
本発明の防犯用照明装置は、本体部と、透明材料から成り、前記本体部の開口を塞ぐ透明蓋部と、前記本体部の一方側に内蔵される発光モジュールと、前記本体部の他方側に内蔵される撮像部と、を備え、前記本体部と対面する前記透明部材の主面部は、前記発光モジュールを被覆する第１主面部分と、前記撮像部を被覆する第２主面部分と、を有し、前記第１主面部分と前記第２主面部分との間の前記主面部に、前記主面部の一部を内側に向かって突出させた突出部を設けることを特徴とする。
【００１０】
更に、本発明の防犯用照明装置は、前記透明蓋部の前記主面部は、一方向で対向して長手方向に伸びる第１側辺および第２側辺と、を有し、前記突出部は、前記第１側辺の近傍から、前記第２側辺の近傍まで延在することを特徴とする。
【００１１】
更に、本発明の防犯用照明装置は、前記突出部は、その中央部が両端部側よりも前記発光モジュール側に配置されることを特徴とする。
【００１２】
更に、本発明の防犯用照明装置は、前記透明蓋部の前記主面部は、一方向で対向して長手方向に伸びる第１側辺および第２側辺と、他方向で対向して短手方向に伸びる第３側辺および第４側辺と、を有し、前記突出部は、前記第１側辺の近傍から、前記第２側辺の近傍まで延在する第１突出部と、前記第１突出部の前記１側辺側の端部と連続し、前記第１側辺に沿って伸びる第２突出部と、前記第１突出部の前記２側辺側の端部と連続し、前記第２側辺に沿って伸びる第３突出部と、を有することを特徴とする。
【００１３】
更に、本発明の防犯用照明装置は、記第２突出部および前記第３突出部は、前記主面部の側辺から内側に離間することを特徴とする。
【００１４】
更に、本発明の防犯用照明装置は、前記透明蓋部は、表面に凹凸が形成された粗化領域と、前記粗化領域よりも光の透過率が高い透明領域とを有し、前記突出部は、前記撮像部と対面する前記透明領域を囲む位置に配置されることを特徴とする。
【００１５】
更に、本発明の防犯用照明装置は、前記透明蓋部は、前記主面部の長手方向の側辺と連続して対向する第１側面および第２側面と、前記主面部の短手方向の側辺と連続して前記撮像素子に接近する第３側面と、前記主面部の他の短手方向の側辺と連続して前記発光モジュールに接近する第４側面と、を有し、前記主面部と前記第３側面とが連続する部分の前記透明蓋部を開口して開口部を設けることを特徴とする。
【発明の効果】
【００１６】
本発明の防犯用照明装置によれば、本体部と、透明材料から成り、前記本体部の開口を塞ぐ透明蓋部と、前記本体部の一方側に内蔵される発光モジュールと、前記本体部の他方側に内蔵される撮像部と、を備え、前記本体部と対面する前記透明部材の主面部は、前記発光モジュールを被覆する第１主面部分と、前記撮像部を被覆する第２主面部分と、を有し、前記第１主面部分と前記第２主面部分との間の前記主面部に、前記主面部の一部を内側に向かって突出させた突出部を設けている。よって、使用状況下にて防犯用照明装置の内部で結露すること等により水が発生し、その水分が第１主面部側から第２主面部側に向かって、透明蓋部の内面に沿って流れたとしても、その水の流れの方向は突出部により変更される。よって、撮像素子等の電子部品やレンズを含む撮像部に、この水が流入することが防止される。
【００１７】
更に、本発明の防犯用照明装置によれば、前記透明蓋部の前記主面部は、一方向で対向して長手方向に伸びる第１側辺および第２側辺と、を有し、前記突出部は、前記第１側辺の近傍から、前記第２側辺の近傍まで延在する。よって、使用状況下における水の流動を規制する効果が大きくなる。
【００１８】
更に、本発明の防犯用照明装置によれば、前記突出部は、その中央部が両端部側よりも前記発光モジュール側に配置される。よって、流動しようとする水を、幅方向に効率的に流動させることができる。
【００１９】
更に、本発明の防犯用照明装置によれば、前記透明蓋部の前記主面部は、一方向で対向して長手方向に伸びる第１側辺および第２側辺と、他方向で対向して短手方向に伸びる第３側辺および第４側辺と、を有し、前記突出部は、前記第１側辺の近傍から、前記第２側辺の近傍まで延在する第１突出部と、前記第１突出部の前記１側辺側の端部と連続し、前記第１側辺に沿って伸びる第２突出部と、前記第１突出部の前記２側辺側の端部と連続し、前記第２側辺に沿って伸びる第３突出部と、を有する。よって、撮像部が配置される部分を効率的に防水できる。
【００２０】
更に、本発明の防犯用照明装置によれば、記第２突出部および前記第３突出部は、前記主面部の側辺から内側に離間する。よって、この離間する部分を水が流動する通路として用いることが出来る。
【００２１】
更に、本発明の防犯用照明装置によれば、前記透明蓋部は、表面に凹凸が形成された粗化領域と、前記粗化領域よりも光の透過率が高い透明領域とを有し、前記突出部は、前記撮像部と対面する前記透明領域を囲む位置に配置される。これにより、透明領域および撮像部を効率的に防水することが出来る。
【００２２】
更に、本発明の防犯用照明装置は、前記透明蓋部は、前記主面部の長手方向の側辺と連続して対向する第１側面および第２側面と、前記主面部の短手方向の側辺と連続して前記撮像素子に接近する第３側面と、前記主面部の他の短手方向の側辺と連続して前記発光モジュールに接近する第４側面と、を有し、前記主面部と前記第３側面とが連続する部分の前記透明蓋部を開口して開口部を設ける。よって、開口部を経由して、装置内部で結露により生じた水を、効率的に外部に排出できる。
【図面の簡単な説明】
【００２３】
【図１】本発明の防犯用照明装置を示す図であり、（Ａ）は設置された状態の防犯用照明装置を示す側面図であり、（Ｂ）はその状態の防犯用照明装置の正面図である。
【図２】本発明の防犯用照明装置を示す側面図である。
【図３】本発明の防犯用照明装置を示す図であり、（Ａ）および（Ｂ）は防犯用照明装置が備える透明蓋部を示す斜視図である。
【図４】本発明の防犯用照明装置を示す図であり、（Ａ）は透明蓋部の主面部を示す平面図であり、（Ｂ）はその拡大平面図であり、（Ｃ）はその断面図である。
【図５】本発明の防犯用照明装置を示す図であり、（Ａ）は設置された状態の透明蓋部を示す断面図であり、（Ｂ）は平面図である。
【図６】本発明の防犯用照明装置を示す図であり、（Ａ）は断面図であり、（Ｂ）は拡大断面図である。
【図７】本発明の防犯用照明装置を示す図であり、（Ａ）は上面図であり、（Ｂ）は断面図である。
【図８】本発明の防犯用照明装置を示す図であり、防犯用照明装置を構成する各部位の接続を示すブロック図である。
【図９】背景技術の防犯用照明装置を示す断面図である。
【図１０】背景技術の防犯用照明装置を示す断面図である。
【発明を実施するための形態】
【００２４】
以下、図面を参照して本形態の防犯用照明装置１０を説明する。
【００２５】
図１を参照して、防犯用照明装置１０の概略的構成を説明する。図１（Ａ）は電柱等に設置された状態の防犯用照明装置１０を示す側面図であり、（Ｂ）は係る状態の防犯用照明装置１０を示す正面図である。
【００２６】
以下の説明では、Ｘ方向、Ｙ方向およびＺ方向の各方向を適宜用いて説明する。Ｘ方向は防犯用照明装置１０の長手方向であり、Ｙ方向はその短手方向であり、Ｚ方向はその厚み方向である。
【００２７】
図１（Ａ）および図１（Ｂ）を参照して、防犯用照明装置１０は、本体部１２と、本体部１２の開口を塞ぐ透明樹脂からなる透明蓋部１４と、本体部１２と透明蓋部１４とで囲まれる内部空間に収納される発光モジュール２０および撮像部２２と、本体部１２と連結された支持部材１６と、を主要に具備している。
【００２８】
防犯用照明装置１０の主な機能は、発光モジュール２０で周囲を照らし出すと共に、撮像部２２で周囲の状況を撮影することに在る。発光モジュール２０は周囲の環境が暗い夜間のみに発光する一方、撮像部２２は終日（夜間および昼間の両方）連続して撮影を行っている。撮像部２２が撮影を行う頻度は、例えば一秒間に２回程度である。
【００２９】
本体部１２は、遮光性を有する合成樹脂を射出成形して形成され、Ｘ方向に細長く伸びる舟型形状を呈している。上記した撮像部２２および発光モジュール２０は、本体部１２に固定される。
【００３０】
透明蓋部１４は、本体部１２の開口を塞ぐ透明樹脂から構成される。透明蓋部１４が透明樹脂から成ることで、発光モジュール２０から放射された光は、透明蓋部１４を透過して外部を照らし出すように成る。また、撮像部２２は、透明蓋部１４を透過して入射した光を撮影することができる。透明蓋部１４は、半透明な粗化領域と、透明な透明領域とを有しており、発光モジュール２０および撮像部２２を被覆する部分は透明領域となっている。係る事項は、図３等を参照して詳述する。また、発光モジュール２０を被覆する部分の透明蓋部１４は、周囲を効果的に照射するために傾斜形状を呈している。一方、撮像部２２を被覆する部分の透明蓋部１４は、鮮明な画像を撮影するために平坦面形状を呈している。係る事項についても図３等を参照して後述する。
【００３１】
発光モジュール２０は、本体部１２の内部で＋Ｘ側に配置されており、外部を照らし出すための光を照射する機能を有する。本形態では、発光モジュール２０は、Ｘ方向に沿って整列した多数個のＬＥＤ（light emitting diode）素子から構成されている。発光モジュール２０は、設置時において防犯用照明装置１０の上部に配置されている。これにより、発光モジュール２０から放射される光を広範囲に照射し、防犯性を向上させることが出来る。
【００３２】
撮像部２２は、合成樹脂から成る筐体に内蔵されたレンズおよび撮像素子から構成されており、不図示のレンズが透明蓋部１４の直近に配置されている。撮像部２２は、設置時において、防犯用照明装置１０の下部に配置されている。これにより、撮像部２２と、地上に存在する歩行者等の被写体との距離が短くなるので、歩行者の顔等をより鮮明に撮影して識別性を向上させることができる。
【００３３】
支持部材１６は、所定形状に整形された金属から成り、上方の端部は本体部１２に固定され、下方の端部は電柱等に固定される。このように、支持部材１６は、防犯用照明装置１０を野外の電柱等に固定するための固定手段として機能している。更に、支持部材１６の上方端部付近は、本体部１２に内蔵された電力変換器（不図示）と熱的に結合されており、使用時に電力変換器から放出された熱は、支持部材１６に伝導した後に外部に放出される。
【００３４】
本体部１２と透明蓋部１４との接合部分からは、導線１８が外部に導出しており、この導線１８を経由して、防犯用照明装置１０に外部の商用電源から電力が供給される。
【００３５】
図２を参照して、防犯用照明装置１０の構成を更に詳述する。この図では、本体部１２の上面開口を塞ぐ透明蓋部１４を、上方に離間して示している。
【００３６】
本体部１２には、上記したように、＋Ｘ側から発光モジュール２０および撮像部２２が配置されている。また、本体部１２を＋Ｚ側から塞ぐ透明蓋部１４の上面（主面部）は、発光モジュール２０を覆う第１主面部分２４と、撮像部２２を覆う第２主面部分２６とを有している。また、第１主面部分２４は、第２主面部分２６よりも＋Ｚ側に配置されているので、第１主面部分２４と第２主面部分２６とは、傾斜面部位７０を経由して連続している。
【００３７】
第１主面部分２４は、傾斜して配置される発光モジュール２０を被覆するために、複数の傾斜面から構成される。また、発光モジュール２０は、その放熱性を向上させるために、箱状に整形された金属板から成る金属筐体８０の上面に載置される。よって、発光モジュール２０は比較的高い位置（＋Ｚ側）に配置されるため、発光モジュール２０を被覆する第１主面部分２４も＋Ｚ側に配置される。
【００３８】
第２主面部分２６は、外部から入射する光を、屈折が少ない状態で撮像部２２に入射させるために、撮像部２２の上面に対して並行かつ平坦に形成されている。また、同様の理由により、第２主面部分２６は、撮像部２２の上面に接近するように、できるだけ−Ｚ側に配置されている。
【００３９】
上記のように、第２主面部分２６を、第１主面部分２４よりも本体部１２側（−Ｚ側）に配置することにより、発光モジュール２０から放射された光が、第１主面部分２４の内面で反射して撮像部２２側に入射し、撮像部２２で撮像される画像が劣化することが抑制される。また、第１主面部分２４と第２主面部分２６都の間には、上記した傾斜面部位７０が形成されている。よって、この傾斜面部位７０により、撮像部２２側に向かう光が反射されることによっても、撮像部２２で撮像される画像が劣化することが抑止されている。
【００４０】
図３を参照して、本形態の防犯用照明装置１０に備えられる透明蓋部１４の構成を詳述する。図３（Ａ）は透明蓋部１４を＋Ｚ側から見た斜視図であり、図３（Ｂ）は透明蓋部１４を−Ｚ側から見た斜視図である。
【００４１】
図３（Ａ）を参照して、透明蓋部１４は、Ｘ方向に長手方向を有する矩形形状の主面部２８と、主面部２８の＋Ｙ側の側辺と連続する第１側面部３０と、主面部２８の−Ｙ側の側辺と連続する第２側面部３２と、主面部２８の＋Ｘ側の側辺と連続する第３側面部３４と、主面部の−Ｘ側の側面と連続する第４側面部３６とを有している。
【００４２】
ここで、主面部２８は、図２を参照して説明したように、発光モジュール２０を覆う第１主面部分２４と、撮像部２２を覆う第２主面部分２６と、から構成されている。
【００４３】
また、第１主面部分２４は、Ｙ方向に於ける中央付近に配置された水平面部位４２と、水平面部位４２から−Ｙ方向に向かって連続して傾斜する傾斜面部位３８と、水平面部位４２から＋Ｙ方向に向かって連続して傾斜する傾斜面部位４０と、を有している。
【００４４】
水平面部位４２は、Ｙ−Ｘ平面に対して平行に形成されており、Ｘ方向に沿って長手方向を有する矩形形状を呈している。
【００４５】
傾斜面部位３８は、−Ｙ方向に向かって−Ｚ側に傾斜する平坦面から構成されている。また、傾斜面部位４０は、＋Ｙ方向に向かって−Ｚ側に傾斜する平坦面から構成されている。傾斜面部位３８および傾斜面部位４０がこのように傾斜する理由は、これらの内側に配置される発光モジュール２０から射出される光を、より広範囲に放射させるためである。
【００４６】
上記した形状の透明蓋部１４の表面形態は、その表面に凹凸が形成された粗化領域と、この凹凸が形成されないことにより透明とされた透明領域と、に分別される。ここで、粗化領域を形成するための微細な凹凸は、透明蓋部１４の内面に形成されても良いし、外面に形成されても良い。
【００４７】
透明領域４４は、第３側面部３４の−Ｚ側に部分的に形成されている。透明領域４４を透過して、後述するフォトダイオードに外光が照射される。
【００４８】
透明領域４６は、傾斜面部位３８の表面に、Ｘ方向に長手方向を有する矩形状の領域として形成されている。透明領域４８は、傾斜面部位４０の表面に、Ｘ方向に長手方向を有する矩形状の領域として形成されている。透明領域４６、４８を透過して、内蔵された発光モジュール２０（図２）から射出された光は外部に放射される。
【００４９】
透明領域５０は、水平面部位４２の−Ｘ側の端部付近に、Ｘ方向に長手方向を有する矩形形状に形成されている。透明領域５０の内部近傍には、防犯用照明装置１０が稼働しているか否かを示すランプが内蔵されており、このランプから放射された光が透明領域５０を透過して外部に放射される。この発光しているランプの数や色を確認することにより、管理者は防犯用照明装置１０の稼働状況を知ることが出来る。
【００５０】
透明領域５２は、第２主面部分２６の＋Ｘ側の端部付近に矩形状の領域として形成されている。透明領域５２を透過して、内蔵された撮像部２２に外光が入射する。
【００５１】
本形態の透明蓋部１４では、上記した各透明領域４４等が形成されていない部分は、ほぼ全域が粗化領域である。この粗化領域は、所謂摺りガラスの如き状態を呈している。よって、このような粗化領域により撮像部２２が覆われることで、外部から撮像部２２が認識されづらく成り、本形態の防犯用照明装置１０の、防犯装置としての機能が確保される。
【００５２】
また、第２主面部分２６の内面には、透明領域５２を囲むように突出部５４が形成されている。この突出部５４は、使用状況下にて水の進行方向を規制する機能を有し、その詳細は図４を参照して後述する。
【００５３】
図３（Ｂ）を参照して、主面部２８の−Ｘ側の端部と第４側面部３６とが連続する部分を貫通して複数の開口部７２が形成されている。この開口部７２は、使用状況下にて透明蓋部１４の内面を伝って流れた水を、外部に逃すためのものであり、その詳細については図４を参照して詳述する。
【００５４】
図４を参照して、上記した透明蓋部１４の主面部２８に形成される突出部５４の構成を詳述する。図４（Ａ）は主面部２８を示す平面図であり、図４（Ｂ）は突出部５４が形成される部分を拡大して示す平面図であり、図４（Ｃ）は図４（Ｂ）のＣ−Ｃ線に於ける断面図である。
【００５５】
図４（Ａ）を参照して、主面部２８は、紙面上にて縦方向で対向してＸ方向に伸びる第１側辺５６および第２側辺５８と、紙面上にて横方向で対向してＹ方向に伸びる第３側辺６０および第４側辺６２と、を有している。また、水の流れを規制するための突出部５４は、撮像部２２（図２）を覆う平坦な第１主面部分２４に形成される。
【００５６】
図４（Ｂ）を参照して、装置内部にて水の流動を規制する突出部５４は、第１突出部６４と、第２突出部６６と、第３突出部６８と、から構成されている。第１突出部６４と、第２突出部６６と、第３突出部６８とは、連続した突起状部位として形成されている。換言すると、突出部５４は、透明領域５２を、＋Ｘ側、−Ｙ側および＋Ｙ側から囲むように形成されている。
【００５７】
第１突出部６４は、第１側辺５６の近傍から第２側辺５８の近傍まで連続して延在している。また、第１突出部６４の−Ｙ側の端部は、透明領域５２の−Ｙ側の端部よりも、−Ｙ側に配置されている。同様に、第１突出部６４の＋Ｙ側の端部は、透明領域５２の＋Ｙ側の端部よりも、＋Ｙ側に配置されている。かかる第１突出部６４の形状により、−Ｘ側に流動する水が、第１突出部６４により堰き止められるので、透明領域５２に水が進入することが防止される。
【００５８】
また、第１突出部６４は、その中央部付近が、＋Ｙ側および−Ｙ側の端部よりも、＋Ｘ側に配置するように曲折している。これにより、−Ｘ側に流動する水を、＋Ｙ方向および−Ｙ方向に分岐させ、透明領域５２に水が進入することを防止する効果が大きくなる。
【００５９】
第２突出部６６は、その＋Ｘ側の端部が、第１突出部６４の−Ｙ側の端部と連続する。また、第２突出部６６は、主面部２８の第１側辺５６から離間して配置されている。これにより、第２突出部６６と第１側辺５６との間の領域が、水が流動するための経路として用いられる。更に、第２突出部６６の−Ｘ側の端部は、主面部２８の第４側辺６２の近傍まで延在しているものの、第４側辺６２とは連続していない。これにより、第２突出部６６の−Ｘ側の端部と第４側辺６２との間を経由して、水を＋Ｙ側に流動させ、上記した開口部７２を経由して外部に放出させることができる。
【００６０】
第３突出部６８は、その＋Ｘ側の端部が、第１突出部６４の＋Ｙ側の端部と連続する。また、第３突出部６８は、主面部２８の第２側辺５８から離間して配置されている。これにより、第３突出部６８と第１側辺５６との間の領域が、水を流動させるための経路として用いられる。更に、第３突出部６８の−Ｘ側の端部は、主面部２８の第４側辺６２の近傍まで延在しているものの、第４側辺６２とは連続していない。これにより、第３突出部６８の−Ｘ側の端部と第４側辺６２との間を経由して、水を−Ｙ側に流動させ、上記した開口部７２を経由して外部に放出させることができる。
【００６１】
図４（Ｃ）を参照して、上記した第１突出部６４は、第１主面部分２４を部分的に上方に突出させた突起状部位として形成される。第１突出部６４の断面形状は、ここでは矩形形状であるが、矩形形状以外の形状（例えば三角形）とされても良い。
【００６２】
図５を参照して、上記した透明蓋部１４で水が排水される状況を説明する。図５（Ａ）は、本形態の防犯用照明装置１０が、電柱等に設置された状態での、透明蓋部１４を示す断面図である。図５（Ｂ）は、突出部５４等が形成される部分の、透明蓋部１４を示す平面図である。
【００６３】
図５（Ａ）を参照して、使用状況下にて防犯用照明装置１０の内部で空気中の水分が結露する等して水が生じると、その水は透明蓋部１４の内面を流通する。ここでは、透明蓋部１４は、紙面上にて右方部分が上方に配置されるように傾斜しているので、水分は、第１主面部分２４、傾斜面部位７０および第２主面部分２６の順番で流動した後に、外部に排出される。このように、結露した水分が外部に排出されることにより、透明蓋部１４により被覆される撮像部２２等に含まれる電子部品が故障することが防止される。
【００６４】
図５（Ｂ）を参照して、透明蓋部１４の内部に於ける水の流動を詳述する。結露等により第１主面部分２４側で生じた水は、先ず、傾斜面部位３８、４０を伝って水平面部位４２に流動する。次に、水は、水平面部位４２に沿って−Ｘ側に流動し、傾斜面部位７０を通過した後に、第１突出部６４に到達する。ここで、傾斜面部位７０は、他の部位と比較すると、傾斜する角度が緩いので、傾斜面部位７０を水が通過することにより、水の移動速度が低下し、水が第１突出部６４を乗り越えることを抑制する効果が得られている。
【００６５】
第１突出部６４は、上記したように両端部分が−Ｘ側に傾斜する曲折形状であるので、第１突出部６４に到達した水は、−Ｙ側と＋Ｙ側に分岐する。
【００６６】
第１突出部６４の中央部にて−Ｙ側に分岐した水は、第２突出部６６と第１側辺５６との間の通路を経由して−Ｘ側に流動する。その後、その水は、第２突出部６６と第４側辺６２との間隙を通過して、＋Ｙ側に進入し、複数の開口部７２を経由して外部に排出される。ここで、開口部７２は、第２主面部分２６の内壁を厚み方向に窪ませた凹状領域７４の内部に形成されている。よって、水は、凹状領域７４に即座に流入し、開口部７２を経由して外部に放出される。
【００６７】
第１突出部６４の中央部にて＋Ｙ側に分岐した水も、上記と同様に、外部に向かって導かれる。具体的には、分岐した水は、第３突出部６８と第２側辺５８との間の通路を経由して−Ｘ側に流動する。その後、その水は、第３突出部６８と第４側辺６２との間隙を通過して、−Ｙ側に進入し、複数の開口部７２を経由して外部に排出される。
【００６８】
上記のように、結露等により生じた水は、第１突出部６４、第２突出部６６および第３突出部６８で、側方に寄せられた後に外部に排出されている。よって、透明領域５２の直近に配置される撮像部２２（図２）に水が接触し、撮像部２２に故障が生じることが防止されている。また、透明領域５２に水が流入しないので、水垢等が透明領域５２に付着し、その透明度が低下することも防止される。
【００６９】
図６を参照して、防犯用照明装置１０の内部構成を説明する。図６（Ａ）は防犯用照明装置１０の断面図であり、図６（Ｂ）は撮像部２２が収納される部分を示す拡大断面図である。
【００７０】
図６（Ａ）を参照して、防犯用照明装置１０の内部における−Ｘ側には、略直方体形状を呈する撮像筐体８２が配置されており、この撮像筐体８２に、ＣＣＤ等から成る撮像素子８６と、レンズ部８４が配置されている。撮像筐体８２は、射出成形された遮光性の合成樹脂から形成されている。撮像筐体８２には、この他にも、撮像システムを始動させるためのスイッチ、半導体メモリを装着させるための挿入部、等が設けられる。
【００７１】
防犯用照明装置１０の内部における＋Ｘ側には、上記した発光モジュール２０が配置されている。この発光モジュール２０は、ステンレス等の金属板を所定形状に成形した金属筐体８０の上面に載置されている。
【００７２】
本体部１２の＋Ｘ側の端部付近には、外部の明るさを検知するダイオード７６が配置されている。
【００７３】
金属筐体８０の内部には、電力変換部７８が配置されている。電力変換部７８は、外部から供給される電力を、発光モジュール２０の発光に適した電力に変換する機能を有する。
【００７４】
図６（Ｂ）を参照して、透明蓋部１４と、撮像部２２との関連構成を説明する。集光用のレンズが内蔵されたレンズ部８４は、撮像筐体８２の上面に回転可能に設置されている。ここでは、レンズ部８４は、紙面上にて時計回り及び反時計回りに回転可能である。撮像筐体８２が回転可能に取り付けられる理由は、防犯用照明装置１０を電柱等に設置した後に、防犯の為に最適な範囲の画像を取得することを可能とするためである。また、レンズ部８４を挟む部分の撮像筐体８２は、レンズ部８４から離れるに従い上方に傾斜する傾斜面８８となっている。これは、レンズ部８４の視野角を確保するためである。
【００７５】
本形態では、透明蓋部１４の形状を、上記したレンズ部８４の視野を干渉しないものとしている。具体的には、透明蓋部１４の傾斜面部位７０を、上記した撮像部２２の傾斜面８８の延長面よりも、外側に配置している。ここでは、傾斜面８８の延長面を点線で示している。これにより、透明蓋部１４の傾斜面部位７０が、レンズ部８４を用いて撮影される画像に映り込んでしまうことが防止される。
【００７６】
図７を参照して、発光モジュール２０Ａ等の構成を説明する。図７（Ａ）は発光モジュール２０Ａ等が配置される部分の防犯用照明装置１０を示す平面図であり、図７（Ｂ）は図７（Ａ）のＢ−Ｂ線での断面図である。
【００７７】
図７（Ａ）を参照して、本形態では、２つの発光モジュール２０Ａ、２０Ｂが、防犯用照明装置１０に内蔵されている。発光モジュール２０Ａ、２０Ｂは、ステンレス等の金属板を所定形状に成形した金属筐体８０の上面に固着されている。よって、発光モジュール２０Ａ、２０Ｂと金属筐体８０とは熱的に結合されており、発光モジュール２０Ａ、２０Ｂが発光する際に発生する熱は、金属筐体８０に伝導した後に外部に放出される。これにより、発光モジュール２０Ａ、２０Ｂの過熱が防止されている。
【００７８】
報知部９０は、金属筐体８０の上面に配置されたＬＥＤ等から構成される。報知部９０が発光することで、防犯用照明装置１０の稼働状況を管理者が確認することが出来る。
【００７９】
図７（Ｂ）を参照して、発光モジュール２０Ａは、反射板９２Ａと、反射板９２Ａに形成された凹状領域９４Ａと、凹状領域９４Ａに固着された発光素子９６Ａとを備えている。また、図７（Ａ）に示すように、発光モジュール２０Ａには、Ｘ方向に沿って等間隔に、複数個の凹状領域９４Ａおよび発光素子９６Ａが配置されている。
【００８０】
反射板９２Ａは、反射率の高い白色の合成樹脂から構成されており、その下面は金属筐体８０の傾斜面に固着されている。また、反射板９２Ａを部分的に略半球状に窪ませて凹状領域９４Ａが形成されている。
【００８１】
発光素子９６Ａは、白色または青色に発光するＬＥＤであり、その下面が凹状領域９４Ａの底面に固着されている。
【００８２】
発光素子９６Ａが放射した光は、凹状領域９４Ａの表面で反射し、透明蓋部１４の傾斜面部位４０を透過して外部に放出される。ここで、発光素子９６Ａから放射された光が透過する部分の傾斜面部位４０は、透明領域４８であるため、放射された光の大部分は透明領域４８を透過する。これにより、防犯用照明装置１０の周囲を、より明るく照らし出すことが出来る。また、発光モジュール２０Ａが光を射出する方向は、＋Ｚ方向から＋Ｙ側に傾斜した方向である。これにより、防犯用照明装置１０で広い範囲を照らし出すことができる。
【００８３】
また、反射板９２Ａで反射された光は、透明領域４８の表面に対して直角に進行するため、透明領域４８で反射される成分が少なくなる。よって、防犯用照明装置１０の内部で光が乱反射した光が、撮像部２２（図２）に入り込み、画像が劣化してしまうことが防止される。
【００８４】
発光モジュール２０Ｂの構造は、上記した発光モジュール２０Ａと同様であり、反射板９２Ｂ、凹状領域９４Ｂおよび発光素子９６Ｂを備えている。また、発光素子９６Ｂから放射された光は、透明蓋部１４の傾斜面部位３８（透明領域４６）を透過して、外部に放出される。
【００８５】
図８の回路図を参照して、上記した構成を有する防犯用照明装置１０の電気的構成を説明する。
【００８６】
防犯用照明装置１０では、発光モジュール２０および電力変換部７８は、ダイオード７６を経由して、外部の電源９８と接続されている。よって、ダイオード７６で検出される周囲の明るさが一定以下となる夜間のみ、発光モジュール２０および電力変換部７８は、電源９８と接続される。この場合、電源９８から供給される電力は、電力変換部７８で所定の電圧に変換され、変換後の電力が発光モジュール２０に供給されることで、発光モジュール２０は所定の明るさの光を外部に放射する。
【００８７】
また、撮像部２２は、上記した発光モジュール２０とは電力系統が分離されており、撮像部２２に備えられたスイッチ等を管理者がオン状態とすることで、撮像部２２は作動する。即ち、撮像部２２は、発光モジュール２０の点灯・消灯に関係なく、動作し続ける。
【００８８】
以上、本発明の実施形態について説明したが、本発明は、これに限定されるものではなく、本発明の要旨を逸脱しない範囲で変更が可能である。
【符号の説明】
【００８９】
１０   防犯用照明装置
１２   本体部
１４   透明蓋部
１６   支持部材
１８   導線
２０、２０Ａ、２０Ｂ 発光モジュール
２２   撮像部
２４   第１主面部分
２６   第２主面部分
２８   主面部
３０   第１側面部
３２   第２側面部
３４   第３側面部
３６   第４側面部
３８   傾斜面部位
４０   傾斜面部位
４２   水平面部位
４４   透明領域
４６   透明領域
４８   透明領域
５０   透明領域
５２   透明領域
５４   突出部
５６   第１側辺
５８   第２側辺
６０   第３側辺
６２   第４側辺
６４   第１突出部
６６   第２突出部
６８   第３突出部
７０   傾斜面部位
７２   開口部
７４   凹状領域
７６   ダイオード
７８   電力変換部
８０   金属筐体
８２   撮像筐体
８４   レンズ部
８６   撮像素子
８８   傾斜面
９０   報知部
９２Ａ，９２Ｂ反射板
９４Ａ，９４Ｂ凹状領域
９６Ａ，９６Ｂ発光素子
９８   電源
【図１】
2016162608.tif 000003
【図２】
2016162608.tif 000004
【図３】
2016162608.tif 000005
【図４】
2016162608.tif 000006
【図５】
2016162608.tif 000007
【図６】
2016162608.tif 000008
【図７】
2016162608.tif 000009
【図８】
2016162608.tif 000010
【図９】
2016162608.tif 000011
【図１０】
2016162608.tif 000012